(57)【要約】【課題】  施工性の良い建具の提供。【解決手段】  左右方向に並べて配置したパネルユニット１，１，…と、方立２とを備え、方立２は、右部材３と左部材４とを有し、右部材３及び左部材４は、パネルユニット１，１，…の隣接する縦枠１５，１６にそれぞれ連結してあり、少なくとも一方の部材３，４は連結部を支点に回動可能であり、右部材３と左部材４とを連結してある。【選択図】      図２
2020190162.tif 000002
【特許請求の範囲】
【請求項１】
左右方向に並べて配置したパネルユニットと、方立とを備え、方立は、右部材と左部材とを有し、右部材及び左部材は、パネルユニットの隣接する縦枠にそれぞれ連結してあり、少なくとも一方の部材は連結部を支点に回動可能であり、右部材と左部材とを連結してあることを特徴とする建具。
【請求項２】
左右方向に並べて配置したパネルユニットと、方立とを備え、方立は、パネルユニットの隣接する縦枠に着脱自在に連結した右部材と左部材とからなり、右部材と左部材とを連結してあることを特徴とする建具。
【発明の詳細な説明】
【技術分野】
【０００１】
本発明は、建具に関する。
【背景技術】
【０００２】
従来より、躯体に取付けた方立にパネルユニットを取付けるカーテンウォールが知られている（例えば、特許文献１参照。）。かかるカーテンウォールは、方立を先に躯体に取付けた後、方立に屋外側からパネルユニットを取付けるが、方立は長く重量もあるため、方立を躯体に取付ける作業が大変で、施工性が良くなかった。
【先行技術文献】
【非特許文献】
【０００３】
【非特許文献１】三協立山株式会社 三協アルミ社発行のカタログ「ＡＲＭ−Ｓ  ＢＯＯＫ  ２０１７」（カタログＮｏ．ＳＴＢ０３４６Ｆ）、２０１７年３月、ｐ．３４−３５
【発明の概要】
【発明が解決しようとする課題】
【０００４】
本発明は以上に述べた実情に鑑み、施工性の良い建具の提供を目的とする。
【課題を解決するための手段】
【０００５】
上記の課題を達成するために請求項１記載の発明による建具は、左右方向に並べて配置したパネルユニットと、方立とを備え、方立は、右部材と左部材とを有し、右部材及び左部材は、パネルユニットの隣接する縦枠にそれぞれ連結してあり、少なくとも一方の部材は連結部を支点に回動可能であり、右部材と左部材とを連結してあることを特徴とする。
【０００６】
請求項２記載の発明による建具は、左右方向に並べて配置したパネルユニットと、方立とを備え、方立は、パネルユニットの隣接する縦枠に着脱自在に連結した右部材と左部材とからなり、右部材と左部材とを連結してあることを特徴とする。
【発明の効果】
【０００７】
請求項１記載の発明による建具は、左右方向に並べて配置したパネルユニットと、方立とを備え、方立は、右部材と左部材とを有し、右部材及び左部材は、パネルユニットの隣接する縦枠にそれぞれ連結してあり、少なくとも一方の部材は連結部を支点に回動可能であり、右部材と左部材とを連結してあるので、方立の取付けが容易であり、また、パネルユニットの隣接する縦枠間のシールを室内側から施工できるので、施工性がよい。
【０００８】
請求項２記載の発明による建具は、左右方向に並べて配置したパネルユニットと、方立とを備え、方立は、パネルユニットの隣接する縦枠に着脱自在に連結した右部材と左部材とからなり、右部材と左部材とを連結してあるので、方立の取付けが容易であり、また、パネルユニットの隣接する縦枠間のシールを室内側から施工できるので、施工性がよい。
【図面の簡単な説明】
【０００９】
【図１】図４に示す建具の上部と下部を拡大して示す縦断面図である。
【図２】図３のＢ−Ｂ断面図である。
【図３】本発明の建具の一実施形態を示す室外側正面図である。
【図４】図３のＡ−Ａ断面図である。
【図５】パネルユニットの吊り込み時の状態を示す横断面図である。
【図６】（ａ）はパネルユニットの隣接する縦枠間のシールを施工しているときの状態を示す横断面図であり、（ｂ）はその後に方立の右部材と左部材を連結するときの状態を示す横断面図である。
【図７】方立の右部材及び左部材をパネルユニットの縦枠に取付けるときの状態を示す横断面図である。
【図８】（ａ）はパネルユニットの枠にガラスを取付けるときの状態を示す平面図、（ｂ）は同縦断面図である。
【図９】パネルユニットをクレーンで吊り上げる直前の状態を示す側面図である。
【図１０】パネルユニットをクレーンで吊り上げ、引っ掛け部を躯体に引っ掛ける様子を示す縦断面図である。
【図１１】パネルユニットの引っ掛け部を躯体に引っ掛けた後、パネルユニットを垂直になるように回動させる様子を示す縦断面図である。
【図１２】図１１の作業時におけるパネルユニットの上部を拡大して示す縦断面図である。
【図１３】図１１の作業時におけるパネルユニットの下部を拡大して示す縦断面図である。
【図１４】パネルユニットを吊り込んだ後、固定部を躯体に固定するときの状態を示す縦断面図である。
【発明を実施するための形態】
【００１０】
以下、本発明の実施の形態を図面に基づいて説明する。図１〜４は、本発明の建具の一実施形態を示している。本建具は、ビルの外壁を成すカーテンウォールに適用したものであって、図３，４に示すように、躯体開口部１２に左右方向に並べて取付けた複数のパネルユニット１，１，…を備えている。パネルユニット１は、アルミ形材よりなる上枠１３と下枠１４と左右の縦枠１５，１６とを枠組みした枠７と、枠７内に取付けたガラス８とで構成されている。開口部の高さ寸法Ｈは、約４ｍある。
【００１１】
上枠１３は、図１に示すように、室外側の見付壁１７の先端部に室外側押縁１８が取付けてあり、室外側押縁１８の室内側に対向して室内側押縁１０が設けてあり、室外側押縁１８と室内側押縁１０とでガラス８との間に乾式のシール部１１ａ，１１ｂを形成してある。室外側押縁１８は、ゴム製の乾式ガスケットのみで構成してあり、見付壁１７の先端部に着脱自在に取付けてある。室内側押縁１０は、略直角三角形状の断面のゴム製の乾式ガスケットのみで構成してあり、上枠１３の内周側見込面に突設した断面Ｔ字形の突条１９ａと断面Ｌ字形の突条１９ｂとに係合して着脱自在に設けてある。なお、室内側押縁１０は、枠７の四周にわたって連続している。
上枠１３の室内側には、略Ｃ字形断面のボルト保持溝２０が長手方向に沿って形成してあり、当該ボルト保持溝２０にボルト２１の頭を回転不能に保持し、そのボルト２１に鈎型の引っ掛け部５をナット２２で固定してある。
上側の躯体２３ａには、引っ掛け部５を引っ掛けるための受け金具２４がボルト・ナット２５で取付けてあり、受け金具２４は長孔２６ａ，２６ｂにより上下方向及び見込方向に位置を調整自在となっている。受け金具２４は、引っ掛け部５を引っ掛けるためのＬ形断面の被引っ掛け部２７と、引っ掛け部５に押し付けられて上枠１３を見込方向に位置決めする押しボルト２８を有している。引っ掛け部５と被引っ掛け部２７との間には上下方向の隙間２９を有し、パネルユニット１の高さを調整できるようになっている。上枠１３と上側の躯体２３ａとの間の隙間は、室内側から湿式のシール材３０を充填してシールしてある。
【００１２】
下枠１４は、上枠１３と同様に、室外側の見付壁１７の先端部に室外側押縁１８が着脱自在に設けてあり、室外側押縁１８の室内側に対向して室内側押縁１０が着脱自在に設けてあり、室外側押縁１８と室内側押縁１０とでガラス８との間に乾式のシール部１１ａ，１１ｂを形成してある。下枠１４の見込壁には、自重受けボルト３１が取付けてあり、自重受けボルト３１でパネルユニット１の自重を下側の躯体２３ｂに伝えている。
下枠１４の室内側には、ボルト保持溝２０が長手方向に沿って形成してあり、当該ボルト保持溝２０にボルト２１の頭を回転不能に保持し、そのボルト２１に固定部取付具３２がナット２２で固定してある。固定部取付具３２には、Ｌ形断面の固定部６が左右方向に挿通したボルト３３とナット３４で取付けてあり、固定部６は下側の躯体２３ｂに上方から挿入したボルト３５で固定してある。固定部６は、ナット３４を緩めた状態で水平軸（ボルト３３）回りに回動可能であり、且つ長孔３６により上下方向に移動可能である。下枠１５と下側の躯体２３ｂとの間の隙間は、室内側から湿式のシール材３７を充填してシールしてある。
【００１３】
縦枠１５，１６は、図２に示すように、薄い板状に形成されており、室外側に室外側押縁９が着脱自在に設けられ、室外側押縁９の室内側に対向して室内側押縁１０が着脱自在に設けてある。室外側押縁９は、縦枠１５，１６と係合するアルミ部３８と、ガラス８の室外側面に当接するゴム製の乾式ガスケット３９とを有し、室内側押縁１０はゴム製の乾式ガスケットのみで構成してあり、両押縁９，１０を縦枠１５，１６に取付けることでガラス８との間に乾式のシール部１１ａ，１１ｂを形成してある。縦枠１５，１６の外周側面にはタイト材保持溝４０が形成してあり、一方の縦枠１５のタイト材保持溝４０にタイト材４１を取付け、タイト材４１により左右のパネルユニット１，１の隣接する縦枠１５，１６間の隙間の室内側を塞いである。さらに、隣接する縦枠１５，１６間の隙間は、室内側から湿式のシール材４２を充填してシールしてある。縦枠１５，１６間のシール材４２は、上枠１３と上側の躯体２３ａとの間のシール材３０及び下枠１４と下側の躯体２３ｂとの間のシール材３７と見込方向の同じ位置にあって、これらのシール材４２，３０，３７は互いに連続している。縦枠１５，１６の室内側端部には、円弧状の係合片４３が内周側に突出して設けてある。
【００１４】
図２に示すように、隣接する左右の縦枠１５，１６の室内側には方立２が設けてあり、方立２は縦枠１５，１６と一体となってパネルユニット１の風圧に対する強度を負担する。方立２は、室外側から見て右側に位置する右部材３と、室外側から見て左側に位置する左部材４とに分割して構成してある。
右部材３は、見込壁４４と、見込壁４４の室外側の位置に外周側に突設した補強片４５と、見込壁４４の室内側の位置に外周側に突設した固定片４６とを有している。見込壁４４の室外側端部には、右側の縦枠１５の係合片４３が係合する係合溝４７が設けてあり、係合溝４７に係合片４３を係合させることで、右部材３は右側の縦枠１５に連結してあり、図６に示すように、連結部を支点として縦枠１５の内周側に回動可能となっている。
左部材４も、右部材３と同様に、見込壁４４と、見込壁４４の室外側の位置に外周側に突設した補強片４５と、見込壁４４の室内側の位置に外周側に突設した固定片４６とを有しており、見込壁４４の室外側端部には左側の縦枠１６の係合片４３が係合する係合溝４７が設けてあり、係合溝４７に係合片４３を係合させることで、左部材４は左側の縦枠１６に連結してあり、連結部を支点として縦枠１６の内周側に回動可能となっている。また、右部材３及び左部材４は、図７に示すように、４５°回動させた状態で、縦枠１５，１６に着脱自在となっている。
右部材３及び左部材４は、図１，２に示すように、上端部に自重受けピース４８が取付けてあり、縦枠１５，１６の係合片４３は上端部に切欠きが設けてあり、自重受けピース４８を縦枠１５，１６の係合片４３上に係止することで、右部材３及び左部材４が下に抜け落ちないようになっている。
右部材３と左部材４は、図２に示すように、固定片４６，４６を見込方向に重合させて室内側からネジ４９で固定することで連結してある。方立２の室内側端部には目板５０が取付けてあり、前記ネジ４９を目板で隠してある。方立２は、見付寸法Ｗが４０ｍｍと非常にスリムになっている。
【００１５】
本建具は、室内側押縁１０を取外すことで、ガラス８を室内側から枠７に着脱することができる。また、室外側押縁９，１８を取外すことで、ガラス８を室外側から上下けんどんにて枠７に着脱することができる。よって、ガラス８が割れたりしたときに、室内側と室内側のどちらからでもガラス８の交換が行え、メンテナンス性が優れている。
【００１６】
次に、本建具の施工手順を説明する。まず、パネルユニット１の上枠１３と下枠１４と左右の縦枠１５，１６を枠組みした枠７を建築現場に運び、図８に示すように、室内の床の上で室外側を下にして台車５１に載せる。この時点では、枠７には室外側押縁９，１８が取付けてあって、室内側押縁１０はまだ取付けられていない。左右の縦枠１５，１６には、方立２の右部材３と左部材４を予め連結しておく。また、上枠１３には引っ掛け部５が、下枠１４には固定部６がそれぞれ取付けてある。固定部６は、パネルユニット１を吊り込む際に躯体２３ｂと干渉しないように、上向きに９０°回転させておく（図１３参照）。
次に、図８に示すように、枠７内にガラス８を上方（室内側）から嵌め込み、枠７の内周に室内側押縁１０を四周連続して取付け、ガラス８を固定する。
次に、図９に示すように、パネルユニット１に室内側からクレーン５２を近付け、クレーン５２のワイヤー５３をパネルユニット１の上下方向中間部のやや上枠１３寄りの位置に繋ぐ。
次に、図１０に示すように、ワイヤー５３を巻き取ってパネルユニット１を吊り上げ、図１２に示すように、パネルユニット１上部に設けた引っ掛け部５を上側の躯体２３ａに取付けた受け金具２４に引っ掛ける。
次に、図１１に示すように、引っ掛け部５を受け金具２４に引っ掛けた状態で、パネルユニット１を引っ掛け部５を支点に室外側に回動させ、垂直な姿勢にする。このとき、パネルユニット１下部に設けた固定部６は、あらかじめ上向きに回動させてあるため、図１３に示すように、下側の躯体２３ｂと干渉しない。
次に、押しボルト２８を引っ掛け部５に仮に押し付けた状態としてパネルユニット１を見込方向に位置決めし、下枠１４に設けた自重受けボルト３１を回転して突き出して躯体２３ｂに押し付けることで、パネルユニット１の高さを調節する。その後、押しボルト２８を締め付けて引っ掛け部５を固定する。
次に、図１４に示すように、パネルユニット１下部に設けた固定部６を水平軸回りに回動して下側の躯体２３ｂに当接させ、上方からのボルト３５で躯体２３ｂに固定する。
【００１７】
そうしてパネルユニット１，１，…を躯体開口部１２に取付けたら、上枠１３と上側の躯体２３ａとの間、下枠１４と下側の躯体２３ｂとの間、隣接する縦枠１５，１６同士の間に、室内側から湿式のシール材３０，３７，４２を充填してシールする。縦枠１５，１６間のシール４２は、図６（ａ）に示すように、右部材３と左部材４を両側に開くことで、室内側から容易に施工することができる。その後、図６（ｂ）に示すように、右部材３と左部材４を閉じ、固定片４６，４６同士をネジ４９で固定して右部材３と左部材４とを連結し、最後に目板５０を取付ける。
【００１８】
方立２の右部材３と左部材４は、予め縦枠１５，１６に連結しておくのではなく、パネルユニット１を躯体開口部１２に取付けた後から、図７に示すように、縦枠１５，１６に取付けることもできる。右部材３及び左部材４の取付けは、縦枠１５，１６間のシール材４２を施工する前に行ってもよいし、シール材４２を施工した後に行ってもよい。その後は、図６（ｂ）に示すように、右部材３と左部材４を閉じ、固定片４６，４６同士をネジ４９で固定して右部材３と左部材４とを連結し、室内側に目板５０を取付ける。
【００１９】
以上に述べたように本建具は、左右方向に並べて配置したパネルユニット１，１，…と、方立２とを備え、方立２は、右部材３と左部材４とを有し、右部材３及び左部材４は、パネルユニット１の隣接する縦枠１５，１６にそれぞれ連結してあり、少なくとも一方の部材３，４は連結部を支点に回動可能であり、右部材３と左部材４とを連結してあるので、方立２の取付けが容易であり、また、パネルユニット１，１，…の隣接する縦枠１５，１６間のシール４２を室内側から施工できるので、施工性がよい。
本建具は、隣接する縦枠１５，１６間の隙間を室内側から湿式のシール材４２でシールしてあることで、施工性が良好であり、且つ縦枠間のシール材４２を、上枠１３と躯体２３ａとの間のシール材３０及び下枠１４と躯体２３ｂとの間のシール材３７と見込方向の同じ位置に配置し、これらのシール材４２，３０，３７を連続させることができるため、パネルユニット１周囲の水密性を安定的に確保できる。
右部材３及び左部材４を予め縦枠１５，１６に連結しておくことで、方立２を後から取付ける必要がなく、施工性がより一層向上する。右部材３と左部材４は、見込壁４４の室外側に補強片４５を有し、見込壁４４の室内側に固定片４６を有していることで、方立２の見付寸法を小さくしながら断面強度を確保し、風圧による変形を抑えることができる。
【００２０】
本建具は、左右方向に並べて配置したパネルユニット１，１，…と、方立２とを備え、方立２は、パネルユニット１，１，…の隣接する縦枠１５，１６に着脱自在に連結した右部材３と左部材４とからなり、右部材３と左部材４とを連結してあるので、方立２の取付けが容易であり、また、パネルユニット１，１，…の隣接する縦枠１５，１６間のシール４２を室内側から施工できるので、施工性がよい。すなわち、方立２を右部材３と左部材４とに分割して隣接する縦枠１５，１６にそれぞれ着脱自在としたことで、一本物の方立を取付ける場合と比べて格段に容易に取付けできる。
【００２１】
また本建具は、躯体開口部１２に取付けるパネルユニット１を備え、パネルユニット１は、上部に躯体２３ａに引っ掛ける引っ掛け部５を有し、下部に躯体２３ｂに固定される固定部６を有し、固定部６は、水平軸（ボルト３３）回りに回動可能であるので、パネルユニット１上部に設けた引っ掛け部５を躯体２３ａに引っ掛けてから、パネルユニット１下部に設けた固定部６を回動させて躯体２３ｂに固定することで、パネルユニット１を躯体開口部１２に容易に取付けることができ、高所作業が不要なため、施工性が良い。
【００２２】
また、本建具の製造方法は、パネルユニット１を室内側から上下方向中間部で吊り上げる工程と、パネルユニット１の上部に設けた引っ掛け部５を躯体２３ａに引っ掛け、パネルユニット１を引っ掛け部５を支点に室外側に回動する工程と、パネルユニット１下部に設けた固定部６を回動させて躯体２３ｂに固定する工程とを有することで、高所作業無しでパネルユニット１を躯体開口部１２に容易に取付けることができ、施工性が良い。加えて本建具は、パネルユニット１を吊り込んだ後、室内側からシール３０，３７，４２を施工するので、室外側からの作業が不要であり、室外側に足場を設置することなく施工できる。
【００２３】
また本建具は、四周の枠７と、枠７内に保持したガラス８とを備え、四周の枠７は、着脱自在な室外側押縁９，１８と室内側押縁１０を有し、両押縁９，１８，１０を枠７に取付けることでガラス８との間に乾式のシール部１１ａ，１１ｂを形成してあるので、ガラス８の取付けが容易で施工性に優れ、且つ室外側押縁９，１８又は室内側押縁１０を取外すことで、室外側と室内側のどちらからでもガラス８を枠７に着脱自在であるため、メンテナンス性も良好である。室内側押縁１０は、ゴム製の乾式ガスケットのみで構成してあるので、枠７への着脱が容易である。
【００２４】
本発明は以上に述べた実施形態に限定されない。方立の右部材と左部材は、縦枠に着脱不能に連結してあってもよいし、右部材と左部材のうちの一方のみが回動自在であってもよい。また、右部材と左部材は、それぞれ縦枠に着脱自在であって、且つ回動不能に縦枠と連結されるものであってもよい。方立の形状は、適宜変更することができる。パネルユニットは、枠内に障子を開閉可能に支持したものであってもよい。本発明は、カーテンウォールに限らず、連窓、店舗用のフロントサッシなど、あらゆる建具に適用することができる。
【符号の説明】
【００２５】
１  パネルユニット
２  方立
３  右部材
４  左部材
５  引っ掛け部
６  固定部
７  枠
８  ガラス
９  室外側押縁
１０  室内側押縁
１１ａ，１１ｂ  シール部
１８  室外側押縁
【図１】
2020190162.tif 000003
【図２】
2020190162.tif 000004
【図３】
2020190162.tif 000005
【図４】
2020190162.tif 000006
【図５】
2020190162.tif 000007
【図６】
2020190162.tif 000008
【図７】
2020190162.tif 000009
【図８】
2020190162.tif 000010
【図９】
2020190162.tif 000011
【図１０】
2020190162.tif 000012
【図１１】
2020190162.tif 000013
【図１２】
2020190162.tif 000014
【図１３】
2020190162.tif 000015
【図１４】
2020190162.tif 000016